【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
サーバに処理を指示するユーザの操作を受け付ける指示受付オブジェクトが選択されることで実行されるイベント処理を含む画面データを表示する表示制御手段と、前記表示制御手段に表示された画面データ上の前記指示受付オブジェクトに関連付けられたイベント処理により生成される、当該指示受付オブジェクトの操作に応じて実行されるクエリを特定するための識別情報を含むアクション要求を、前記サーバに引き渡す要求引渡手段とを備えるアプリケーションを操作するクライアント装置と、受け付けた前記クエリと、前記識別情報とを含むアクション定義を記憶するアクション定義記憶手段と、前記クライアント装置の前記要求引渡手段から引き渡される前記アクション要求を受け付ける要求受付手段と、前記要求受付手段により受け付けた前記アクション要求に含まれる前記識別情報に基づいて、前記アクション定義記憶手段に記憶されている前記アクション定義を取得するアクション定義取得手段と、前記アクション定義取得手段により取得した前記アクション定義に含まれる前記クエリに基づいて検索サービスから検索結果を取得し、処理結果とする検索実行制御手段と、前記検索実行制御手段により得られる前記処理結果を、前記クライアント装置へ送信する送信手段とを備えるサーバと通信可能なアプリケーションを開発する開発者端末であって、
前記アプリケーションの画面データを生成するべく、アクション要求に従って得られた値を表示するオブジェクトおよび指示受付オブジェクトを配置するオブジェクト配置手段と、
前記指示受付オブジェクトに対応付く識別情報と関連付けるべく、前記アプリケーションが実行され、前記オブジェクト配置手段により配置された指示受付オブジェクトが操作された場合に、前記サーバに要求するクエリであって、所望の前記検索サービスに対する検索条件を指定するための当該クエリの設定を受け付ける設定受付手段と
を備えることを特徴とする開発者端末。
【請求項２】
前記オブジェクト配置手段により、前記画面データに対してオブジェクトおよび前記指示受付オブジェクトを配置し、更に前記設定受付手段により当該指示受付オブジェクトにクエリを設定するための入力操作を開発者にさせるための設定画面を表示する設定画面表示手段と
を、更に備えることを特徴とする請求項１に記載の開発者端末。
【請求項３】
サーバに処理を指示するユーザの操作を受け付ける指示受付オブジェクトが選択されることで実行されるイベント処理を含む画面データを表示する表示制御手段と、前記表示制御手段に表示された画面データ上の前記指示受付オブジェクトに関連付けられたイベント処理により生成される、当該指示受付オブジェクトの操作に応じて実行されるクエリを特定するための識別情報を含むアクション要求を、前記サーバに引き渡す要求引渡手段とを備えるアプリケーションを操作するクライアント装置と、受け付けた前記クエリと、前記識別情報とを含むアクション定義を記憶するアクション定義記憶手段と、前記クライアント装置の前記要求引渡手段から引き渡される前記アクション要求を受け付ける要求受付手段と、前記要求受付手段により受け付けた前記アクション要求に含まれる前記識別情報に基づいて、前記アクション定義記憶手段に記憶されている前記アクション定義を取得するアクション定義取得手段と、前記アクション定義取得手段により取得した前記アクション定義に含まれる前記クエリに基づいて検索サービスから検索結果を取得し、処理結果とする検索実行制御手段と、前記検索実行制御手段により得られる前記処理結果を、前記クライアント装置へ送信する送信手段とを備えるサーバと通信可能なアプリケーションを開発する開発者端末を制御する方法であって、
オブジェクト配置手段が、前記アプリケーションの画面データを生成するべく、アクション要求に従って得られた値を表示するオブジェクトおよび指示受付オブジェクトを配置するオブジェクト配置ステップと、
設定受付手段が、前記指示受付オブジェクトに対応付く識別情報と関連付けるべく、前記アプリケーションが実行され、前記オブジェクト配置手段により配置された指示受付オブジェクトが操作された場合に、前記サーバに要求するクエリであって、所望の前記検索サービスに対する検索条件を指定するための当該クエリの設定を受け付ける設定受付手段と
を含むことを特徴とする開発者端末の制御方法。
【請求項４】
サーバに処理を指示するユーザの操作を受け付ける指示受付オブジェクトが選択されることで実行されるイベント処理を含む画面データを表示する表示制御手段と、前記表示制御手段に表示された画面データ上の前記指示受付オブジェクトに関連付けられたイベント処理により生成される、当該指示受付オブジェクトの操作に応じて実行されるクエリを特定するための識別情報を含むアクション要求を、前記サーバに引き渡す要求引渡手段とを備えるアプリケーションを操作するクライアント装置と、受け付けた前記クエリと、前記識別情報とを含むアクション定義を記憶するアクション定義記憶手段と、前記クライアント装置の前記要求引渡手段から引き渡される前記アクション要求を受け付ける要求受付手段と、前記要求受付手段により受け付けた前記アクション要求に含まれる前記識別情報に基づいて、前記アクション定義記憶手段に記憶されている前記アクション定義を取得するアクション定義取得手段と、前記アクション定義取得手段により取得した前記アクション定義に含まれる前記クエリに基づいて検索サービスから検索結果を取得し、処理結果とする検索実行制御手段と、前記検索実行制御手段により得られる前記処理結果を、前記クライアント装置へ送信する送信手段とを備えるサーバと通信可能なアプリケーションを開発する開発者端末において実行可能なプログラムであって、
前記開発者端末を、
前記アプリケーションの画面データを生成するべく、アクション要求に従って得られた値を表示するオブジェクトおよび指示受付オブジェクトを配置するオブジェクト配置手段と、
前記指示受付オブジェクトに対応付く識別情報と関連付けるべく、前記アプリケーションが実行され、前記オブジェクト配置手段により配置された指示受付オブジェクトが操作された場合に、前記サーバに要求するクエリであって、所望の前記検索サービスに対する検索条件を指定するための当該クエリの設定を受け付ける設定受付手段と
と機能させることを特徴とするプログラム。
【手続補正２】
【補正対象書類名】明細書
【補正対象項目名】発明の名称
【補正方法】変更
【補正の内容】
【発明の名称】開発者端末、開発者端末の制御方法、およびプログラム
【手続補正３】
【補正対象書類名】明細書
【補正対象項目名】０００８
【補正方法】変更
【補正の内容】
【０００８】
本発明の目的は、以上の目的を解決するものであり、開発環境において、オブジェクトおよび指示受付オブジェクトを配置し、当該指示受付オブジェクトに対してアクション定義を設定し、設定されたアクション定義を指示受付オブジェクトに対応付く識別情報に紐付ける環境を提供し、識別情報をサーバに記憶させることで、アプリケーションの開発を容易にし、アクション定義による処理結果を開発したアプリケーションの表示画面で表示させる仕組みを提供することである。
【手続補正４】
【補正対象書類名】明細書
【補正対象項目名】０００９
【補正方法】変更
【補正の内容】
【０００９】
本発明は、サーバに処理を指示するユーザの操作を受け付ける指示受付オブジェクトが選択されることで実行されるイベント処理を含む画面データを表示する表示制御手段と、前記表示制御手段に表示された画面データ上の前記指示受付オブジェクトに関連付けられたイベント処理により生成される、当該指示受付オブジェクトの操作に応じて実行されるクエリを特定するための識別情報を含むアクション要求を、前記サーバに引き渡す要求引渡手段とを備えるアプリケーションを操作するクライアント装置と、受け付けた前記クエリと、前記識別情報とを含むアクション定義を記憶するアクション定義記憶手段と、前記クライアント装置の前記要求引渡手段から引き渡される前記アクション要求を受け付ける要求受付手段と、前記要求受付手段により受け付けた前記アクション要求に含まれる前記識別情報に基づいて、前記アクション定義記憶手段に記憶されている前記アクション定義を取得するアクション定義取得手段と、前記アクション定義取得手段により取得した前記アクション定義に含まれる前記クエリに基づいて検索サービスから検索結果を取得し、処理結果とする検索実行制御手段と、前記検索実行制御手段により得られる前記処理結果を、前記クライアント装置へ送信する送信手段とを備えるサーバと通信可能なアプリケーションを開発する開発者端末であって、前記アプリケーションの画面データを生成するべく、アクション要求に従って得られた値を表示するオブジェクトおよび指示受付オブジェクトを配置するオブジェクト配置手段と、前記指示受付オブジェクトに対応付く識別情報と関連付けるべく、前記アプリケーションが実行され、前記オブジェクト配置手段により配置された指示受付オブジェクトが操作された場合に、前記サーバに要求するクエリであって、所望の前記検索サービスに対する検索条件を指定するための当該クエリの設定を受け付ける設定受付手段とを備えることを特徴とする。
【手続補正５】
【補正対象書類名】明細書
【補正対象項目名】００１０
【補正方法】変更
【補正の内容】
【００１０】
本発明により、開発環境において、オブジェクトおよび指示受付オブジェクトを配置し、当該指示受付オブジェクトに対してアクション定義を設定し、設定されたアクション定義を指示受付オブジェクトに対応付く識別情報に紐付ける環境を提供し、識別情報をサーバに記憶させることで、アプリケーションの開発を容易にし、アクション定義による処理結果を開発したアプリケーションの表示画面で表示させる仕組みを提供することが可能となった。